(57)【要約】  移動局装置のハンドオーバ制御方法では、ＣＳＧセルに移動局装置が在圏しているか否かについて判定する。また、ＣＳＧセルに移動局装置が在圏していると判定した場合に、ＣＳＧセルがＨＰＬＭＮであるか否かについて判定する。また、ＣＳＧセルがＨＰＬＭＮであると判定した場合であって、移動局装置が周辺セルの測定を行うように設定されている場合には、周辺セルの測定を実行してハンドオーバを行う。また、ＣＳＧセルがＨＰＬＭＮではないと判定した場合には、移動局装置が周辺セルの測定を行うように設定されている場合であっても、周辺セルの測定を行わない。
2012105684.tif 000002
【特許請求の範囲】
【請求項１】
マクロセルとＣＳＧセル間を移動する移動局装置のハンドオーバ制御方法であって、
前記ＣＳＧセルに前記移動局装置が在圏しているか否かについて判定し、
前記ＣＳＧセルに前記移動局装置が在圏していると判定した場合に、前記ＣＳＧセルがＨＰＬＭＮであるか否かについて判定し、
前記ＣＳＧセルがＨＰＬＭＮであると判定した場合であって、前記移動局装置が周辺セルの測定を行うように設定されている場合には、前記周辺セルの測定を実行してハンドオーバを行い、
前記ＣＳＧセルが前記ＨＰＬＭＮではないと判定した場合には、前記移動局装置が前記周辺セルの測定を行うように設定されている場合であっても、前記周辺セルの測定を行わない移動局装置のハンドオーバ制御方法。
【請求項２】
前記周辺セルの測定を行わない処理は、
前記周辺セルの受信レベルを測定する移動局装置の受信レベル測定部を停止させることにより行われる請求項１記載の移動局装置のハンドオーバ制御方法。
【請求項３】
マクロセルとＣＳＧセル間を移動する移動局装置のハンドオーバ制御方法であって、
前記ＣＳＧセルに前記移動局装置が在圏しているか否かについて判定し、
前記ＣＳＧセルに前記移動局装置が在圏していると判定した場合に、前記ＣＳＧセルがＨＰＬＭＮであるか否かについて判定し、
前記ＣＳＧセルが前記ＨＰＬＭＮではないと判定した場合には、ハンドオーバ拒否信号を送信する移動局装置のハンドオーバ制御方法。
【請求項４】
移動局装置と通信する基地局装置のハンドオーバ制御方法であって、
前記移動局装置から受信したハンドオーバ拒否信号に基づいて、ハンドオーバを許容するか否かについて判定し、
ハンドオーバを許容すると判定した場合には、前記移動局装置が周辺セルの測定を実行するようにＶＰＬＭＮへ指示し、
ハンドオーバを許容しないと判定した場合には、前記移動局装置が前記周辺セルを測定しないように前記ＶＰＬＭＮへ指示する基地局装置のハンドオーバ制御方法。
【請求項５】
前記移動局装置に前記周辺セルの測定の実行が設定されている場合は、更に前記周辺セルの測定を停止するように前記移動局装置を制御する請求項４記載の基地局装置のハンドオーバ制御方法。
【請求項６】
前記移動局装置に前記周辺セルの測定の実行が設定されていない場合は、更に前記基地局装置が前記移動局装置へ周辺セルの測定指示を送信しない請求項４記載の基地局装置のハンドオーバ制御方法。
【請求項７】
マクロセルとＣＳＧセルとを有するＰＬＭＮに接続する移動局装置であって、
在圏セルおよび周辺セルを測定する受信レベル測定部と、
前記在圏セルおよび前記周辺セルの測定が設定される制御データ記憶部と、
前記ＣＳＧセルに前記移動局装置が在圏しているか否かについて判定するハンドオーバ判定部と、
在圏していると前記ハンドオーバー判定部が判定した場合には、在圏している前記ＣＳＧセルがＨＰＬＭＮであるか否かについて判定するセル判定部と、
ハンドオーバ拒否信号を生成するハンドオーバ拒否信号生成部とを有し、
在圏しているＣＳＧセルが、ＨＰＬＭＮである場合であって、前記制御データ記憶部に周辺セルの測定を行うように設定されている場合には、前記周辺セルの測定を実行してハンドオーバを行い、
在圏しているＣＳＧセルが、ＨＰＬＭＮでないときには、前記制御データ記憶部に周辺セルの測定を行うように設定されている場合であっても、前記周辺セルの測定を行わない、または、ハンドオーバ拒否信号を生成する移動局装置。
【請求項８】
移動局装置と通信する基地局装置であって、
前記移動局装置から受信したハンドオーバ拒否信号に基づいて、前記移動局装置のハンドオーバを許容するか否かについて判定するハンドオーバ判定部と、
前記ハンドオーバ判定部の判定結果に基づいて、前記移動局装置の周辺セルの測定の実行を制御する測定実行制御部と、
前記移動局装置を制御する制御信号を生成する制御信号生成部と、
を有し、
前記制御信号生成部は、前記測定実行制御部の指示に基づいて、前記周辺セルの測定を停止する制御信号を生成する基地局装置。
【発明の詳細な説明】
【技術分野】
【０００１】
本発明は、ホームセルを含む無線通信システムにおけるハンドオーバ制御方法、移動局装置、基地局装置に関する。
本願は、２０１１年２月３日に、日本に出願された特願２０１１−０２１２９５号に基づき優先権を主張し、その内容をここに援用する。
【背景技術】
【０００２】
移動体通信の規格であるＷ−ＣＤＭＡ（Wideband Code Division Multiple Access）、ＬＴＥ（Long Term Evolution）、ＬＴＥ−Ａ（LTE-Advanced）では、従来の広範囲なサービスエリアを有するマクロセルが提案されている。それに加え、Ｗ−ＣＤＭＡ、ＬＴＥ、ＬＴＥ−Ａでは、狭い範囲でのサービスや特定のユーザのみに対するサービスを行うホームセル（Home NodeBやHome eNodeB、小型基地局）が提案されている。３ＧＰＰ  Ｅ−ＵＴＲＡ（The 3rd Generation Partnership Project Evolved Universal Terrestrial Radio Access；第三世代パートナーシッププロジェクトのユニバーサル地上無線通信アクセスの進化）においてもホームセルの運用に関して検討されている。【０００３】
３ＧＰＰ  Ｅ−ＵＴＲＡにおけるホームセルによって提供されるセルの種別には、通常セル、ＣＳＧ（Closed Subscriber Group；特定の加入者グループ）セル、ハイブリッド（Hybrid）セルがある。通常セルは、全ユーザが接続することが可能なセルである。ＣＳＧセルは、特定のユーザのみ接続することを許容するセルである。ハイブリッドセルは、一部のユーザ（移動局装置）にはＣＳＧセルとして接続し、その他ユーザには通常セルとして接続するセルである。【０００４】
このようなホームセルに関する仕様は、非特許文献１の６章及び７章に、アクセス制御や手動ＣＳＧセル選択（Manual CSG selection）などとして定義されている。また、非特許文献２では、図９のような状況下でＣＳＧセルからマクロセルへのハンドオーバを制限する必要があるか否かについて検討することが提案されている。図９を説明する。図９では、２つの公衆移動通信ネットワーク（以下、ＰＬＭＮという；Public Land Mobile Network；公衆陸上移動網とも訳される）が形成されている。図９は、移動局装置９０が、ホーム公衆移動通信ネットワーク（以下、ＨＰＬＭＮという；Home Public Land Mobile Network）から、訪問先公衆移動通信ネットワーク（以下、ＶＰＬＭＮという；Visited Public Land Mobile Network）へローミング（Roaming）し、ＶＰＬＭＮのＣＳＧセル９１０とマクロセル９３０にアクセス可能な状態を示している。【０００５】
ここでＨＰＬＭＮは、移動局装置９０が加入しているネットワーク事業者の運営しているネットワークである。ＨＰＬＭＮでは、移動局装置９０が有するＳＩＭカードの加入者固有の加入者識別子ＩＭＳＩ（International Mobile Subscriber Identity）にＨＰＬＭＮのＩＤを登録することで、登録したネットワーク事業者の通信サービスを利用することができる。図９では、マクロセルの基地局装置９２によってＨＰＬＭＮのマクロセル９２０が形成される。【０００６】
またＶＰＬＭＮは、移動局装置９０が加入はしていないが、ローミングを行うことができる契約をしているネットワーク事業者の運営しているネットワークである。図９では、マクロセルの基地局装置９３が、ＶＰＬＭＮのマクロセル９３０を形成する。また、特定契約者用基地局装置９１がＶＰＬＭＮのＣＳＧセル９１０を形成する。３ＧＰＰ  Ｅ−ＵＴＲＡでは、これらの他にＨＰＬＭＮと同様に扱われる等価公衆移動通信ネットワーク（以下、ＥＰＬＭＮという；Equivalent Public Land Mobile Network）なども定義されている。3GPP E-UTRAでは、これら種々のＰＬＭＮ毎にマクロセルやＣＳＧセル、ハイブリッドセルなどが形成されることがある。なお、ＥＰＬＭＮは、ネットワークから明示されてＨＰＬＭＮと同様に扱われるようになるところがＨＰＬＭＮと異なっている。【０００７】
移動局装置９０は、図９の地点ＰＡで、ＨＰＬＭＮのマクロセル９２０へ初期登録（initially registered）を行う。次に移動局装置９０の使用者は、手動ＣＳＧセル選択（Manual CSG selection）によってＶＰＬＭＮのＣＳＧセル９１０へ登録を行う。これによって、移動局装置９０は、手動により選択されたＣＳＧセル９１０で通信を開始する。ここで移動局装置９０が例えば地点ＰＢへ移動するなどによって、ＣＳＧセル９１０がＶＰＬＭＮのマクロセル９３０へのハンドオーバを指示すると、移動局装置９０はＣＳＧセル９１０からマクロセル９３０へハンドオーバを行い、マクロセル９３０に在圏して通信を継続する。そして通信を終了する場合は、移動局装置はマクロセル９３０に在圏したまま通信を終了する。【０００８】
このように地点ＰＢでは、ＣＳＧセル９１０とマクロセル９３０が同じＶＰＬＭＮに属している。そのため、ＣＳＧセル９１０がマクロセル９３０へのハンドオーバを指示する可能性がある。Ｗ−ＣＤＭＡ、ＬＴＥを含む移動通信システムでは、通信中に移動局装置が接続するネットワーク（基地局装置）の選択は、ネットワークの制御により実現されているため、移動局装置が移行先のセルを選択する方法は存在しない。一般的にＶＰＬＭＮのマクロセルとの通信料は、ＨＰＬＭＮでの通信やＣＳＧセルでの通信と比べて割高であるため、ＣＳＧセルでのみ通信を行うことが望ましい。【０００９】
ＬＴＥとは別に、特許文献１には不要なハンドオーバを抑制する通信端末装置が記載されている。特許文献１は、基地局装置が制御用の信号を通信端末装置へ送信し、通信端末装置の動作を切換えることによってセルサーチの頻度を下げることによって不要なハンドオーバを抑制している。
【先行技術文献】
【特許文献】
【００１０】
【特許文献１】特開２００７‐２７８７７号公報
【非特許文献】
【００１１】
【非特許文献１】"3GPP TS 22.220 V9.3.0", [online], [retrieved on 10 September 2010], Retrieved from the Internet：〈URL：http://www.3gpp.org/ftp/Specs/archive/22_series/22.220/22220-930.zip〉
【非特許文献２】"S1-094031-Manual-CSG-across-PLMN.doc", [online], [retrieved on 10 September 2010]、Retrieved from the Internet：〈URL：http://www.3gpp.org/ftp/tsg_sa/WG1_Serv/TSGS1_48_Beijing/tdocs/S1-094031.zip〉
【発明の概要】
【発明が解決しようとする課題】
【００１２】
上述したように、ＶＰＬＭＮのマクロセルとの通信料は、ＨＰＬＭＮでの通信やＣＳＧセルでの通信と比べて割高であるため、ＣＳＧセルでのみ通信を行うことが望ましい。しかし、現在の通信システムでは、移動局装置が移行先のセルを選択する方法がないという課題がある。
また、特許文献１では、在圏セルの基地局から制御用の信号を送信し、その信号を用いて移動局装置の動作を切換えることを提案している。しかし、ＣＳＧセルで実現する場合、ＣＳＧセルが制御信号を送信するための送信機を持つ必要があるほか、基地局装置が移動局装置の状況を認識し、適切に動作を変える必要があり、複雑な制御が必要となる。
基地局装置と移動局装置の間で複雑な制御を必要とせず、また、既存のシステムへの影響を最小化するためには、移動局装置でハンドオーバを抑制するための仕組みを有することが望ましい。【００１３】
本発明は、このような事情に鑑みてなされたもので、移動局装置が在圏しているＣＳＧセルのＰＬＭＮを判定し、ＣＳＧセルが移動局装置のＶＰＬＭＮに属している場合は周辺セルの測定を実行しないように制御してＶＰＬＭＮのマクロセルへのハンドオーバを抑制することを目的とする。
【課題を解決するための手段】
【００１４】
（１）  本発明の第１の態様による移動局装置のハンドオーバ制御方法は、マクロセルとＣＳＧセル間を移動する移動局装置のハンドオーバ制御方法であって、前記ＣＳＧセルに前記移動局装置が在圏しているか否かについて判定し、前記ＣＳＧセルに前記移動局装置が在圏していると判定した場合に、前記ＣＳＧセルがＨＰＬＭＮであるか否かについて判定し、前記ＣＳＧセルがＨＰＬＭＮであると判定した場合であって、前記移動局装置が周辺セルの測定を行うように設定されている場合には、前記周辺セルの測定を実行してハンドオーバを行い、前記ＣＳＧセルが前記ＨＰＬＭＮではないと判定した場合には、前記移動局装置が前記周辺セルの測定を行うように設定されている場合であっても、前記周辺セルの測定を行わない。【００１５】
（２）  なお、本発明の第１の態様において、前記周辺セルの測定を行わない処理は、前記周辺セルの受信レベルを測定する移動局装置の受信レベル測定部を停止させることにより行われてもよい。【００１６】
（３）  本発明の第２の態様による移動局装置のハンドオーバ制御方法は、マクロセルとＣＳＧセル間を移動する移動局装置のハンドオーバ制御方法であって、前記ＣＳＧセルに前記移動局装置が在圏しているか否かについて判定し、前記ＣＳＧセルに前記移動局装置が在圏していると判定した場合に、前記ＣＳＧセルがＨＰＬＭＮであるか否かについて判定し、前記ＣＳＧセルが前記ＨＰＬＭＮではないと判定した場合には、ハンドオーバ拒否信号を送信する。【００１７】
（４）  本発明の第３の態様による基地局装置のハンドオーバ制御方法は、移動局装置と通信する基地局装置のハンドオーバ制御方法であって、前記移動局装置から受信したハンドオーバ拒否信号に基づいて、ハンドオーバを許容するか否かについて判定し、ハンドオーバを許容すると判定した場合には、前記移動局装置が周辺セルの測定を実行するようにＶＰＬＭＮへ指示し、ハンドオーバを許容しないと判定した場合には、前記移動局装置が前記周辺セルを測定しないように前記ＶＰＬＭＮへ指示する。【００１８】
（５）  なお、本発明の第３の態様による基地局装置のハンドオーバ制御方法において、前記移動局装置に前記周辺セルの測定の実行が設定されている場合は、更に前記周辺セルの測定を停止するように前記移動局装置を制御してもよい。【００１９】
（６）  また、本発明の第３の態様による基地局装置のハンドオーバ制御方法において、前記移動局装置に前記周辺セルの測定の実行が設定されていない場合は、更に前記基地局装置が前記移動局装置へ周辺セルの測定指示を送信しなくてもよい。【００２０】
（７）  本発明の第４の態様による移動局装置は、マクロセルとＣＳＧセルとを有するＰＬＭＮに接続する移動局装置であって、在圏セルおよび周辺セルを測定する受信レベル測定部と、前記在圏セルおよび前記周辺セルの測定が設定される制御データ記憶部と、前記ＣＳＧセルに前記移動局装置が在圏しているか否かについて判定するハンドオーバ判定部と、在圏していると前記ハンドオーバー判定部が判定した場合には、在圏している前記ＣＳＧセルがＨＰＬＭＮであるか否かについて判定するセル判定部と、ハンドオーバ拒否信号を生成するハンドオーバ拒否信号生成部と、を有し、在圏しているＣＳＧセルが、ＨＰＬＭＮである場合であって、前記制御データ記憶部に周辺セルの測定を行うように設定されている場合には、前記周辺セルの測定を実行してハンドオーバを行い、在圏しているＣＳＧセルが、ＨＰＬＭＮでないときには、前記制御データ記憶部に周辺セルの測定を行うように設定されている場合であっても、前記周辺セルの測定を行わない、または、ハンドオーバ拒否信号を生成する。【００２１】
（８）  本発明の第５の態様による基地局装置は、移動局装置と通信する基地局装置であって、前記移動局装置から受信したハンドオーバ拒否信号に基づいて、前記移動局装置のハンドオーバを許容するか否かについて判定するハンドオーバ判定部と、前記ハンドオーバ判定部の判定結果に基づいて、前記移動局装置の周辺セルの測定の実行を制御する測定実行制御部と、前記移動局装置を制御する制御信号を生成する制御信号生成部と、を有し、前記制御信号生成部は、前記測定実行制御部の指示に基づいて、前記周辺セルの測定を停止する制御信号を生成する。
【発明の効果】
【００２２】
以上のような動作を行う本発明によって、ＣＳＧセルに在圏している移動局装置が、ＶＰＬＭＮのマクロセルへのハンドオーバを行わないようになるので、移動局装置のユーザは料金メリットを得ることができる。
また、移動局装置がＣＳＧセルで通信を継続することによって、ＶＰＬＭＮを運営しているネットワーク事業者には、運営しているマクロセルの通信負荷の増大が抑制されるという効果がある。
【図面の簡単な説明】
【００２３】
【図１】本発明の移動通信システムの構成の一例を示す概略図である。
【図２】本発明の移動局装置２０の構成の一例を示す概略ブロック図である。
【図３】本発明の第１の実施形態によるハンドオーバ制御方法を説明するフローチャートである。
【図４】本発明の第２の実施形態によるハンドオーバ拒否時のシーケンス図である。
【図５】本発明の第２の実施形態による移動局装置２０によるハンドオーバ制御方法を説明するフローチャートである。
【図６】本発明の第３の実施形態の特定契約者用基地局装置６０の構成を示す概略ブロック図である。
【図７】本発明の第３の実施形態によるハンドオーバ制御方法を説明するフローチャートである。
【図８】本発明の第３の実施形態で利用するＬＴＥ仕様のＲＲＣメッセージの通知を説明するシーケンス図である。
【図９】非特許文献２のハンドオーバ制御を説明する図である。
【発明を実施するための形態】
【００２４】
以下に、本発明を実施するための形態について説明する。本明細書における実施形態では、先の背景技術と同様に従来の広範囲なサービスエリアを有するセルをマクロセルと呼ぶ。また、狭い範囲でのサービスや特定のユーザのみに対するサービスを行うセルをホームセル（Home NodeBやHome eNodeB、小型基地局）と呼ぶ。特にホームセルでもＣＳＧ（Closed Subscriber Group；特定の加入者グループ）に属する加入者（特定契約者）のみがアクセス可能なホームセルをＣＳＧセルと呼ぶ。また、移動局装置が加入しているネットワーク事業者の運営しているネットワークを、ＨＰＬＭＮ（Home Public Land Mobile Network、ホーム公衆移動通信ネットワーク）と呼ぶ。また、移動局装置が加入はしていないが、ローミングを行うことができる契約をしているネットワーク事業者の運営しているネットワークを、ＶＰＬＭＮ（Visited Public Land Mobile Network、訪問先公衆移動通信ネットワーク）と呼ぶ。また、これらの他に位置登録する際にネットワーク側からＨＰＬＭＮと同様に扱うＰＬＭＮとして明示されるＥＰＬＭＮ（Equivalent Public Land Mobile Network、等価公衆移動通信ネットワーク）などもあり、これら種々のＰＬＭＮ毎にマクロセルやＣＳＧセル、ハイブリッドセルなどが形成される。なお、以下の実施形態のＨＰＬＭＮは、ＥＰＬＭＮを含む。
【００２５】
先に述べたように本実施形態のネットワークには、ＨＰＬＭＮとＶＰＬＭＮとがある。ＨＰＬＭＮとＶＰＬＭＮのそれぞれにマクロセルとホームセル（ＣＳＧセル）が形成されるが、一般的に移動局装置がこれらのセルへ通信接続する際に必要となる料金は同一ではない。ＶＰＬＭＮのマクロセルへの接続料金が最も高く、次にＨＰＬＭＮのマクロセルへの接続料金が高く、ＨＰＬＭＮのＣＳＧセルとＶＰＬＭＮのＣＳＧセルへの接続料金が最も安いと想定される。本実施形態では、このような料金体系からＣＳＧセルへ在圏している状態では、そのままＣＳＧセルへ在圏することが望ましい。しかし、本実施形態では、通信の利便性からＨＰＬＭＮのマクロセルへの接続は許容し、ＶＰＬＭＮのマクロセルへの接続は回避することを目的とする。このようなハンドオーバを実現するハンドオーバ制御方法と移動局装置、基地局装置を説明する。
【００２６】
図１は、本発明の移動通信システムの構成の一例を示す概略図である。図１に示すように本発明の一例を示す移動通信システムは、ＶＰＬＭＮのＣＳＧセル１００と、このＶＰＬＭＮのＣＳＧセル１００を有する特定契約者用基地局装置６０と、ＨＰＬＭＮのマクロセル１１０と、このＨＰＬＭＮのマクロセル１１０を有する基地局装置１１と、ＶＰＬＭＮのマクロセル１２０と、このＶＰＬＭＮのマクロセル１２０を有する基地局装置１２と、移動局装置２０とからなる。移動局装置２０は、ＶＰＬＭＮのＣＳＧセル１００、ＨＰＬＭＮのマクロセル１１０、ＶＰＬＭＮのマクロセル１２０のそれぞれと通信可能な位置にある。
【００２７】
図２は、本発明の移動局装置２０の構成の一例を示す概略ブロック図である。図２を説明する。なお図２は、本発明の一例の説明に必要なもののみを示し、その他の通常の無線通信に用いられる構成要素、及び表示部や操作部などの説明及び図示は省略する。移動局装置２０は、アンテナ２１、無線受信部２２、無線送信部２３、制御部２４を有する。制御部２４は、受信レベル測定部２４１、制御データ記憶部２４２、ハンドオーバ判定部２４３、セル判定部２４４、測定実行判定部２４５、ハンドオーバ拒否信号生成部２４６を有する。
【００２８】
アンテナ２１は、基地局装置が送信する無線信号を受信し、無線受信部２２に出力する。また、アンテナ２１は、無線送信部２３が出力する信号を、無線信号として基地局装置へ送信する。無線受信部２２は、アンテナ２１が出力する信号に対して、ダウンコンバートした後、復調して、制御データおよび受信データＤ１を得る。無線受信部２２は、これらのうち制御データを制御部２４に出力する。無線送信部２３は、制御部２４から受信した制御データと、送信データＤ２とを変調した後、アップコンバートしてアンテナ２１へ出力する。制御部２４は、後述するように移動局装置２０の在圏しているセルや周辺のセルや受信レベルなどから、ハンドオーバに関する制御データを基地局装置へ送信する。
【００２９】
受信レベル測定部２４１は、基地局装置から送信される電波の受信品質を測定し、測定結果を制御データ記憶部２４２に記憶する。なお、電波の受信品質の測定は、後述する測定実行判定部２４５の指示に基づいて行われる。ここで、受信レベル測定部２４１は、測定対象のセルの周波数帯域を無線受信部２２に設定し、その周波数帯域中の参照信号（Reference Signal）を用いて、信号対雑音比（Signal to Noise Ratio；S/N）を算出して受信レベルとしてもよい。また、受信レベル測定部２４１は、測定対象のセルの周波数帯域を無線受信部２２に設定し、その周波数帯域中の参照信号を用いて、受信信号電力（Reference Signal Receive Power；RSRP）を算出して受信レベルとしてもよい。また、ＲＳＲＰを用いて算出する下りリンクのパスロス（Path loss）、ＲＳＲＰとシステム情報（System information）で通知されるパラメータから算出するＳ値を使用しても良い。なお、参照信号は、移動局装置２０において既知の信号である。
【００３０】
制御データ記憶部２４２は、制御データの一種であるシステム情報（System information）にて基地局装置から通知された周辺セル情報を記憶する。また、制御データ記憶部２４２は、在圏中のセルに関するセル情報と、受信レベル測定部２４１が測定した各セルの受信レベルを示す情報とについても記憶する。ここで、周辺セル情報およびセル情報は、セルを識別する情報（主にセルＩＤ）と、セル種別（マクロセル、ＣＳＧセルなど）と、ネットワーク情報（ＰＬＭＮのＩＤ）などを示す情報である。なお、セル情報は、在圏中のセルについての情報であり、周辺セル情報は、在圏中のセルの周辺セルについての情報である。また、制御データ記憶部２４２は、基地局装置から通知されたセルの測定指示および測定条件（Measurement configuration）も記憶する。また、制御データ記憶部２４２は、移動局装置２０のＳＩＭ内部のＩＭＳＩ（International Mobile Subscriber Identity）から、ＭＣＣ（Mobile Country Code）とＭＮＣ（Mobile Network Code）を取得し記憶する。ここで、ＩＭＳＩは、加入者識別子（国際移動体加入者識別番号と訳されることもある）である。また、ＭＣＣは、移動体通信における国名コードであり運用地域を示すコードである。また、ＭＮＣは、電気通信事業者を示すコードである。また、制御データ記憶部２４２は、後述するハンドオーバ判定部２４３が使用するユーザやネットワークが予め設定したハンドオーバ条件も記憶する。
【００３１】
ハンドオーバ判定部２４３は、制御データ記憶部２４２から取得したＭＣＣとＭＮＣから移動局装置２０が加入しているＨＰＬＭＮを認識する。次に、ハンドオーバ判定部２４３は、制御データ記憶部２４２から取得したセル情報と周辺セル情報とから、各セルのＰＬＭＮのＩＤを認識する。そして、ハンドオーバ判定部２４３は、認識した移動局装置２０が加入しているＨＰＬＭＮのＩＤと比較して、在圏しているセルと周辺セルのどのセルがＨＰＬＭＮで、どのセルがＶＰＬＭＮなのかを認識する。また、ハンドオーバ判定部２４３は、制御データ記憶部２４２から取得したセル情報と周辺セル情報とから在圏しているセルと周辺セルのどのセルがＣＳＧセルで、どのセルがマクロセルであるか否かについても認識する。次に、ハンドオーバ判定部２４３は、制御データ記憶部２４２から取得したハンドオーバ条件であって、ユーザやネットワークが予め設定したハンドオーバ条件と、先に認識した在圏セルと周辺セルの情報を比較して、移動局装置２０がハンドオーバを実行できるか否かについて判定する。例えば、ハンドオーバ判定部２４３は、ユーザが、ＶＰＬＭＮのＣＳＧセルに在圏している場合は、ＶＰＬＭＮのマクロセルにはハンドオーバしないという設定をする。在圏セルと周辺セルの情報から、移動局装置２０はＶＰＬＭＮのＣＳＧセルへ在圏し、周辺セルはＶＰＬＭＮのマクロセルであると判明した場合には、ハンドオーバ判定部２４３は、ハンドオーバを許容しないという判定を行う。もしくはユーザが、ＶＰＬＭＮのＣＳＧセルに在圏している場合もＶＰＬＭＮのマクロセルにハンドオーバするという設定をする。在圏セルと周辺セルの情報から、移動局装置２０はＨＰＬＭＮのＣＳＧセルへ在圏し、周辺セルはＶＰＬＭＮのマクロセルであると判明した場合には、ハンドオーバ判定部２４３は、ハンドオーバを許容するという判定を行う。なお、どのようなハンドオーバを許容するかは、ユーザやネットワークが任意に設定可能である。
【００３２】
セル判定部２４４は、制御データ記憶部２４２から取得したＭＣＣとＭＮＣから、移動局装置２０が加入しているＨＰＬＭＮを認識する。次に、セル判定部２４４は、制御データ記憶部２４２から取得したセル情報と周辺セル情報とから、各セルのＰＬＭＮのＩＤを認識する。そして、セル判定部２４４は、認識した移動局装置２０が加入しているＨＰＬＭＮのＩＤと比較して、在圏しているセルと周辺セルのどのセルがＨＰＬＭＮで、どのセルがＶＰＬＭＮなのかを判定する。また、セル判定部２４４は、制御データ記憶部２４２から取得したセル情報と周辺セル情報とから在圏しているセルと周辺セルのどのセルがＣＳＧセルで、どのセルがマクロセルであるのかについても判定する。
【００３３】
測定実行判定部２４５は、周辺セルの測定を実行するか否かについて判定を行う。測定実行判定部２４５は、周辺セルの測定を実行すると判定した場合は、測定指示や制御データ記憶部２４２から取得した測定条件（Measurement configuration）を受信レベル測定部２４１へ出力する。また、測定実行判定部２４５は、周辺セルの測定を実行しないと判定した場合は、測定の停止指示を受信レベル測定部２４１へ出力する。移動局装置２０は、測定を実行していないセルへはハンドオーバを実行できないので、ハンドオーバしたくないセルについてはセルの測定を停止することでハンドオーバを停止することできる。なお、測定を実行するか否かについての判定は、ハンドオーバ判定部２４３から取得したハンドオーバ判定結果とセル判定部２４４から取得した在圏しているセルおよび周辺セルの情報と制御データ記憶部２４２から取得した周辺セルの測定指示などの制御データの全てまたは一部を使用して行われる。
【００３４】
ハンドオーバ拒否信号生成部２４６は、セル判定部２４４から各セルのセル種別（ＣＳＧセルかマクロセルか）の情報とネットワーク情報（ＨＰＬＭＮかＶＰＬＭＮか）を取得する。ハンドオーバ拒否信号生成部２４６は、取得したセル種別の情報とネットワーク情報を、予め与えられた設定もしくはユーザ操作による設定と比較して、ハンドオーバしたくないセルを判定してハンドオーバ拒否信号を生成し、無線送信部２３へ出力する。例えば、ハンドオーバ拒否信号生成部２４６は、ユーザが、ＶＰＬＭＮのＣＳＧセルに在圏している場合は、ＶＰＬＭＮのマクロセルにはハンドオーバしないという設定をする。セル判定部２４４から在圏セルがＣＳＧセルで周辺セルにＶＰＬＭＮのマクロセルがあるというデータを取得した場合には、ハンドオーバ拒否信号生成部２４６は、ＶＰＬＭＮのマクロセルへのハンドオーバ拒否信号を生成し、無線送信部２３へ出力する。無線送信部２３は、ハンドオーバ拒否信号をひとつの制御信号として、他の制御信号と一緒もしくは別にして、在圏しているセルの基地局装置へ送信する。ハンドオーバ拒否信号の送信は、ネットワークからハンドオーバ指示があったときに行うが、ハンドオーバ指示がなくてもセル判定部２４４による各セルの判別が行われたときにも行うようにしても良い。なお、ハンドオーバ拒否信号生成部２４６よるハンドオーバ拒否信号の生成は、ハンドオーバ判定部２４３によるハンドオーバを許容するか否かについての判定に応じて行われても良い。
【００３５】
以下に上述した本発明の移動通信システムの一例における移動局装置２０と特定契約者用基地局装置６０によるハンドオーバ制御方法の実施形態を説明する。なお、本発明は、これら実施形態に限定されるものではなく、その趣旨を逸脱しない範囲において、種々なる態様で実施可能である。また、下記実施形態で扱うマクロセルやＣＳＧセルは、３ＧＰＰ  Ｅ‐ＵＴＲＡで規定されているマクロセルやＣＳＧセルである。また、下記実施形態では、３ＧＰＰで定義されたＣＳＧセルに在圏しているものとして説明する。しかし、本発明はＣＳＧセルに限らず、３ＧＰＰに定義されているハイブリッド（Hybrid）セル、３ＧＰＰでは定義されていないが、３ＧＰＰで定義されたＣＳＧセルやハイブリッドセルと同様の機能を有するフェムトセルや小型基地局、無線アクセスポイント、リレー局などにも適用可能である。
【００３６】
［第１の実施形態］
第１の実施形態では、移動局装置がＶＰＬＭＮのＣＳＧセルに在圏している場合に、周辺セルを測定しないようにすることで、周辺セルへのハンドオーバを実行しないようにすることを目的とする。
【００３７】
図３は、第１の実施形態のハンドオーバ制御方法を説明するフローチャートである。図１の移動通信システムの構成下で、図２の移動局装置２０が、図３のフローチャートを実行する例を説明する。
【００３８】
移動局装置２０は、使用者の手動ＣＳＧセル選択（Manual CSG selection）によって、ＶＰＬＭＮのＣＳＧセル１００に在圏する（ステップＳ３００）。ここで移動局装置２０が、発信を行ったり、着信を受信したりするなどして通信を開始すると（ステップＳ３０１で“Ｙｅｓ”）、移動局装置２０のハンドオーバ判定部２４３は、既に説明した判定手段によって、周辺のマクロセルへのハンドオーバを許容しているか否かについての判定を行う（ステップＳ３０２）。ここでは、ＶＰＬＭＮのマクロセル１２０へのハンドオーバは許容していない。また、ＶＰＬＭＮのＣＳＧセル１００に在圏している場合、ＨＰＬＭＮのマクロセル１１０へはハンドオーバを実行しない。そのため、ＨＰＬＭＮのマクロセル１１０へのハンドオーバの許容の判定は行わない。よってステップＳ３０３へ移行する。ステップＳ３０３では、移動局装置２０のセル判定部２４４は、既に説明した判定手段によって、在圏しているＣＳＧセルのネットワークを判定する。ここでは、ＣＳＧセルはＶＰＬＭＮなので（ステップＳ３０３で“Ｎｏ”）、ステップＳ３０４へ移行する。ステップＳ３０４では、移動局装置２０が移動局装置２０主導での周辺セルの測定を行うように設定している場合、もしくは、ネットワークの指示によっての周辺セルの測定を行うように設定されている場合（ステップＳ３０４で“Ｙｅｓ”）、測定実行判定部２４５が測定を実行しないという判定を行う。そして、測定実行判定部２４５は、測定を実行しない指示を受信レベル測定部２４１へ出力する。これによって、受信レベル測定部２４１は、周辺セルの測定を行わないようになる（ステップＳ３０５）。移動局装置２０は、周辺セルの測定を行わないので、ＶＰＬＭＮのマクロセル１２０へはハンドオーバせず、ＶＰＬＭＮのＣＳＧセル１００に在圏したまま通信を実行する。また、周辺セルの測定が設定されていない場合（ステップＳ３０４で“Ｎｏ”）、移動局装置２０の測定は行われない（ステップＳ３０６）。そのため、移動局装置２０は、ＶＰＬＭＮのマクロセル１２０へはハンドオーバせず、ＣＳＧセル１００に在圏したまま通信を実行する。
【００３９】
なお、ステップＳ３０７〜Ｓ３０９は、ＶＰＬＭＮのＣＳＧセル１００に在圏しているユーザがＶＰＬＭＮのマクロセルへのハンドオーバを許容している場合、もしくは、ユーザがＨＰＬＭＮのＣＳＧセルへ在圏している場合の処理である。この場合、第１の実施形態ではＨＰＬＭＮのマクロセルへのハンドオーバを許容する。そのため、ステップＳ３０７で周辺セルの測定が設定されていれば（ステップＳ３０７で“Ｙｅｓ”）、測定実行判定部２４５は、測定を実行するという判定を行い、測定を実行する指示を受信レベル測定部２４１へ出力する。よって、ステップＳ３０８で周辺セルの測定を実行し、ＨＰＬＭＮマクロセルへハンドオーバすることが可能になる。ステップＳ３０８によって周辺セルの測定が終了してもＣＳＧセル１００で通信を継続してから、実際のハンドオーバ処理に移行する。図３は、ＣＳＧセル１００で通信を継続するまでの処理を示すフローチャートであり、ステップＳ３０８の後のハンドオーバ処理は記載していない。なお、周辺セルの測定が設定されていなければ（ステップＳ３０７で“Ｎｏ”）、ステップＳ３０９で周辺セルの測定は行なわれないので、ハンドオーバせずＣＳＧセル１００での通信を継続する。
【００４０】
以上、説明したように第１の実施形態は、移動局装置がＶＰＬＭＮのＣＳＧセルに在圏している場合に、周辺セルを測定しないようにすることで、周辺セルへのハンドオーバを実行しないように制御するハンドオーバ制御方法を実現する。このようにすることで移動局装置は、料金の高いＶＰＬＭＮのマクロセルへハンドオーバしなくなるという効果がある。また、周辺セルの測定を行わないことにより電力消費を抑制できる効果もある。また、移動局装置がＣＳＧセルで通信を継続することによって、ＶＰＬＭＮを運営しているネットワーク事業者には、運営しているマクロセルの通信負荷の増大が抑制されるという効果がある。また、このようなハンドオーバの制御を移動局装置単体で行えるという効果もある。
【００４１】
［第２の実施形態］
第２の実施形態では、移動局装置がＣＳＧセルに在圏中に着信や発信など移動局装置の通信状態の変化が発生したときに、周辺セルの測定を行わないようにしてハンドオーバの制御を行った。これに対し、第２の実施形態では、移動局装置がＣＳＧセルに在圏中にネットワークからハンドオーバの指示が発生したときに、ユーザがマクロセルでの通信を望んでいない場合は、移動局装置がハンドオーバ拒否信号を在圏しているセルへ送信してハンドオーバの制御を行う。なお、ここでは、移動局装置が在圏しているセルはＣＳＧセルである。第２の実施形態も、第１の実施形態と同様に、移動局装置がネットワーク種別やセル種別などの情報を取得して、ハンドオーバの制御に使用する。
なお、ネットワークからのハンドオーバの指示は、例えば、ＣＳＧセル内が輻輳した場合に、図４に示すエアシーケンスの第１のメッセージによって、ＣＳＧセルから移動局装置へ行われる（ステップＳ１１）。例えば、Ｗ−ＣＤＭＡが用いられる場合、第１のメッセージは、物理チャネル再構成（Physical Channel Reconfiguration）や無線ベアラの再構成（Radio Bearer Reconfiguration）などに関するものである。
移動局装置がハンドオーバしない場合は、図４に示すエアシーケンスの第２のメッセージによって、移動局装置２０は、ハンドオーバ拒否信号をＣＳＧセルへ送信する（ステップＳ１２）。例えば、Ｗ−ＣＤＭＡが用いられる場合、第２のメッセージは、物理チャネル再構成の失敗（Physical Channel Reconfiguration Failure）などに関するものである。
【００４２】
なお、第２の実施形態も第１の実施形態と同様に、ＣＳＧセルでの通信を継続したいが、ＨＰＬＭＮのマクロセルへのハンドオーバは許容し、ＶＰＬＭＮのマクロセルへのハンドオーバは回避することを目的とする。
【００４３】
図５は、第２の実施形態のハンドオーバ制御方法を説明するフローチャートである。図５を説明する。図１に示すように、移動局装置２０がＶＰＬＭＮのＣＳＧセル１００に在圏している状態で（図５のステップＳ５００）、ＣＳＧセル１００からＶＰＬＭＮのマクロセル１２０へのハンドオーバ指示を受信すると（ステップＳ５０１）、移動局装置２０のハンドオーバ判定部２４３は、既に説明した判定手段によって、周辺のマクロセルへのハンドオーバを許容しているか否かについての判定を行う（ステップＳ５０２）。第２の実施形態でもＶＰＬＭＮのマクロセル１１０へはハンドオーバを許容しておらず、また、移動局装置がＶＰＬＭＮのＣＳＧセル１００に在圏している場合、ＨＰＬＭＮのマクロセル１１０へはハンドオーバを実行しない。そのため、ここではＨＰＬＭＮのマクロセル１１０へのハンドオーバの許容は判定せず、ステップＳ５０３へ移行する。ここでは、ＣＳＧセルはＶＰＬＭＮなので（ステップＳ５０３で“Ｎｏ”）、ステップＳ５０４へ移行する。第２の実施形態では、移動局装置が在圏しているセルがＣＳＧセルであり、周辺セルがＶＰＬＭＮのマクロセルである。そのため、ステップＳ５０４では、既に説明した手段によって、ハンドオーバ拒否信号生成部２４６がハンドオーバ拒否信号を生成し、無線送信部２３へ出力する。よって、無線送信部２３はハンドオーバ拒否信号をＣＳＧセル１００の特定契約者用基地局装置６０へ送信して、移動局装置２０はＣＳＧセル１００との通信を継続する。このように、第２の実施形態では、移動局装置２０はＶＰＬＭＮのＣＳＧセル１００と通信中に周辺のマクロセルへのハンドオーバ指示を受信した場合に、ハンドオーバ拒否信号をＣＳＧセルへ送信する。これにより、ＶＰＬＭＮのマクロセルへは移動局装置がハンドオーバを実行しないようにする。
【００４４】
なお、ステップＳ５０５〜Ｓ５０６は、ＶＰＬＭＮのＣＳＧセル１００に在圏しているユーザがＶＰＬＭＮのマクロセル１２０へのハンドオーバを許容している場合、もしくはユーザがＨＰＬＭＮのＣＳＧセルへ在圏している場合の処理である。この場合、第２の実施形態では、ＨＰＬＭＮのマクロセル１１０へのハンドオーバを許容するので、ステップＳ５０２またはステップＳ５０３〜Ｓ５０５へ移行しハンドオーバ処理が実行される。ハンドオーバが成功した場合には（ステップＳ５０６で“Ｙｅｓ”）、移動局装置は、ハンドオーバ成功信号をＣＳＧセル１００へ送信し（ステップＳ５０８）、マクロセル１１０で通信する。ハンドオーバが失敗した場合には（ステップＳ５０６で“Ｎｏ”）、移動局装置は、ハンドオーバ失敗信号をＣＳＧセル１００へ送信し（ステップＳ５０７）、ＣＳＧセル１００での通信を継続する。
このように、第２の実施形態の移動局装置２０は、ＶＰＬＭＮのＣＳＧセル１００と通信中に周辺のマクロセルへのハンドオーバ指示を受信した場合に、周辺のマクロセルへのハンドオーバ判定やセル種別の判定を行い、ハンドオーバ拒否信号をＣＳＧセルへ送信する。これによって、ＶＰＬＭＮのマクロセルへはハンドオーバを実行しないようにする。
【００４５】
なお、ステップＳ５０４では、ハンドオーバを許容していないことをネットワークへ通知してもよい。ハンドオーバ拒否信号生成部２４６は、ハンドオーバを許容していないこと示す信号を生成し、無線送信部２３からＣＳＧセルに送信する。このハンドオーバを許容していないこと示す信号を、ＣＳＧセルから受信したネットワークは、この情報を記憶し、これ以降のハンドオーバ指示メッセージを送信しないように制御することが望ましい。
【００４６】
以上、説明したように、第２の実施形態では、移動局装置がＣＳＧセルに在圏し、ユーザがマクロセルでの通信を望んでいない場合に、ＣＳＧセルから送信される周辺マクロセルへのハンドオーバ指示信号に対して、ハンドオーバ拒否信号を送信する。これにより、周辺セルへのハンドオーバを実行しないように制御するハンドオーバ制御方法及び移動局装置を実現する。このようにすることで移動局装置は、料金の高いＶＰＬＭＮのマクロセルへハンドオーバしなくなるという効果がある。また、移動局装置がＣＳＧセルで通信を継続することによって、ＶＰＬＭＮを運営しているネットワーク事業者には、運営しているマクロセルの通信負荷の増大が抑制されるという効果がある。
【００４７】
［第３の実施形態］
第１の実施形態では、移動局装置によってハンドオーバの制御を行う。これに対して、第３の実施形態では、第２の実施形態の移動局装置２０と通信する基地局装置によってハンドオーバの制御を行う。具体的には、基地局装置は、第２の実施形態の移動局装置２０からハンドオーバ拒否信号を受信した場合に、ネットワークの動作を制御したり、移動局装置による周辺セルの測定を制御したりする。これによって、第３の実施形態では、移動局装置２０の周辺セルへのハンドオーバを制御する。
【００４８】
なお、第３の実施形態も、第１及び第２の実施形態と同様に、ＣＳＧセルを形成する基地局装置を特定契約者用基地局装置と呼ぶ。また、第３の実施形態では、特定契約者用基地局装置およびこの特定契約者用基地局装置のＣＳＧセルと移動局装置との通信を例に挙げて、以下に説明する。
【００４９】
図６は、本発明の第３の実施形態の特定契約者用基地局装置６０の構成を示す概略ブロック図である。なお、特定契約者用基地局装置６０の構成要素としては、本発明の第３の実施形態の説明に必要なもののみを示し、その他の通常の無線通信に用いられる構成要素、及び表示部や操作部などの説明及び図示は省略する。
【００５０】
特定契約者用基地局装置６０は、アンテナ６１、無線受信部６２、無線送信部６３、制御部６４、通信部６５を有する。制御部６４は、受信レベル測定部６４１、制御データ記憶部６４２、ハンドオーバ判定部６４３、ネットワーク制御部６４４、測定実行制御部６４５、測定条件設定部６４６、制御信号生成部６４７を有する。
【００５１】
アンテナ６１は、移動局装置が送信する無線信号を受信し、無線受信部６２に出力する。また、アンテナ６１は、無線送信部６３が出力する信号を、無線信号として移動局装置へ送信する。無線受信部６２は、アンテナ６１が出力する信号に対して、ダウンコンバートした後、復調して、制御データおよび受信データＤ３を得る。無線受信部６２は、これらのうち制御データを制御部６４に出力する。無線送信部６３は、制御部２４から受信した制御データと、送信データＤ４とを変調した後、アップコンバートしてアンテナ６１へ出力する。制御部６４は、後述するように移動局装置から送信されたハンドオーバ拒否信号に基づいて、ネットワークや移動局装置のハンドオーバに関する制御を行う制御信号を生成し、ネットワークや移動局装置へ送信する。
【００５２】
受信レベル測定部６４１は、移動局装置から送信される電波の受信品質を測定し、測定結果を制御データ記憶部２４２に記憶する。なお、受信レベル測定部６４１の測定は、測定実行制御部６４５の指示に基づいて行われることもある。
【００５３】
制御データ記憶部６４２は、特定契約者用基地局装置６０に予め備えられた移動局装置を制御するための制御データと、無線受信部６２や通信部６５を通して移動局装置やネットワークから受信した制御データと、受信レベル測定部６４１による測定結果などを記憶する。なお、制御データ記憶部６４２が記憶する制御データは、例えば、移動局装置が周辺セルへのハンドオーバを許容していないことを示すハンドオーバ拒否信号や、ユーザの契約情報、周辺の無線環境、在圏セルや周辺セルの測定条件などである。
【００５４】
ハンドオーバ判定部６４３は、制御データ記憶部６４２から移動局装置のハンドオーバに関する情報を取得し、移動局装置のハンドオーバを許容するか否かについて判定する。判定の方法は、移動局装置からハンドオーバ拒否信号が送信されている場合は、ハンドオーバを許容しない判定を行う。もしくは、ハンドオーバ判定部６４３は、移動局装置のＭＣＣとＭＮＣとセル情報と周辺セル情報を取得して比較するなどして、在圏セルや周辺セルのセル種別やネットワーク情報を認識し、予め設定されたハンドオーバ許容条件と比較してハンドオーバを許容するか否かについての判定を行っても良い。なお、予め設定されたハンドオーバ許容条件とはネットワーク運営者によって決められた条件であり、例えば、受信レベル測定部６４１が測定した特定契約者用基地局装置６０と移動局装置との受信レベルの測定結果から、受信レベルが予め設定された閾値よりも高い場合、ハンドオーバを許容しないと判定するなどである。
【００５５】
ネットワーク制御部６４４は、ハンドオーバ判定部６４３の判定結果に基づいてネットワークの動作を制御する。移動局装置の周辺セルへのハンドオーバを許容していない場合、ネットワークを制御して、ネットワークから移動局装置へ周辺セルの測定実行の指示を行わないようにする。また、ハンドオーバを許容している場合は、ネットワーク制御部６４４からネットワークを介して、移動局装置へ周辺セルの測定を行うように指示する。なお、ネットワークの制御の実行は、ネットワーク制御部６４４がネットワークの制御信号の生成を制御信号生成部６４７へ指示し、制御信号生成部６４７が通信部６５からネットワークへ生成した制御信号を送信することによって行う。
【００５６】
測定実行制御部６４５は、ハンドオーバ判定部６４３の判定結果に基づいて移動局装置による周辺セルの測定の制御を行う。具体的には、ハンドオーバ判定部６４３が、移動局装置がハンドオーバを許容していないと判定した場合には、測定実行制御部６４５は、移動局装置による周辺セルの測定を停止する制御信号の生成の指示を、制御信号生成部６４７へ出力する。これによって、移動局装置は、周辺セルの測定を停止する。一方、ハンドオーバ判定部６４３が、移動局装置がハンドオーバを許容すると判定した場合には、測定実行制御部６４５は、移動局装置による周辺セルの測定を実行する制御信号の生成の指示を、制御信号生成部６４７へ出力する。これによって、移動局装置は、周辺セルの測定を実行する。
【００５７】
測定条件設定部６４６は、制御データ記憶部６４２に格納されている移動局装置が行う在圏セルや周辺セルの測定の条件や、受信レベル測定部６４１の測定結果などから、移動局装置が新たに在圏セルや周辺セルを測定する測定の条件を設定する。なお、制御データ記憶部６４２に格納されている測定の条件は、予め制御データ記憶部６４２に格納されているものと、予め移動局装置が有し移動局装置から受信して格納したものとがある。測定条件設定部６４６が新たに設定した測定の条件は、制御信号生成部６４７へ出力される。測定条件設定部６４６が新たに設定した測定の条件は、制御信号生成部６４７から制御信号として無線送信部６３から移動局装置へ送信される場合と、通信部６５からネットワークへ送信される場合とがある。
【００５８】
制御信号生成部６４７は、ネットワーク制御部６４４、測定実行制御部６４５、測定条件設定部６４６の出力の全部または一部のデータを、移動局装置の制御信号として生成する。制御信号生成部６４７は、生成した制御信号を、無線送信部６３から移動局装置へ、通信部６５からネットワークへそれぞれ送信する。
【００５９】
通信部６５は、ネットワークに接続するための通信インターフェース部である。通信部６５は、ＬＡＮや光回線などの有線によりネットワークと接続され、インターネット経由でオペレータのネットワークに接続される。通信部６５は、ネットワークから制御データおよび受信データＤ５を得る。例えば、通信部６５は、オペレータからユーザの契約情報や周辺の無線環境等を入手し、制御データ記憶部６４２へ出力する。また通信部６５は、制御信号生成部６４７から受信した制御信号や送信データＤ６をネットワークへ送信する。
【００６０】
図７は、第３の実施形態のハンドオーバ制御方法を説明するフローチャートである。図７を説明する。図１に示すように、移動局装置２０は特定契約者用基地局装置６０のサービスエリア内で待ち受けしている（図７のステップＳ７００）。この状態で、移動局装置２０からの発信または移動局装置２０への着信があった場合に、移動局装置２０と特定契約者用基地局装置６０（ネットワーク）間で通信接続（connection）を確立する（ステップＳ７０１）。このとき、特定契約者用基地局装置６０は、移動局装置２０からハンドオーバ拒否信号を受信した場合に、制御データ記憶部６４２へ記憶する（ステップＳ７０２）。
【００６１】
移動局装置２０のユーザが周辺セルへのハンドオーバを拒否している場合、ハンドオーバ判定部６４３は、移動局装置２０のハンドオーバを許容しないと判定する（ステップＳ７０３で“Ｎｏ”）。そのため、特定契約者用基地局装置６０は、ネットワークの動作を変更して、移動局装置２０のハンドオーバを無効にする。具体的には、ネットワーク制御部６４４が、ネットワークが移動局装置２０に対して周辺セルの測定の実行を指示しない（Measurement: off）ようにする制御信号の生成を制御信号生成部６４７へ指示し、通信部６５を通じてネットワークへ出力する（ステップＳ７０４）。これにより、ネットワークからの指示による移動局装置の周辺セルの測定は実行されなくなる。
【００６２】
また、移動局装置２０がハンドオーバを許容しておらず、報知情報などで移動局装置２０へ予め測定条件が存在している場合（ステップＳ７０５で“Ｙｅｓ”）、測定実行制御部６４５は、移動局装置２０による周辺セルの測定の実行を停止する制御信号の生成を制御信号生成部６４７に指示する。そして、無線送信部６３は、生成された制御信号を移動局装置２０へ送信して、移動局装置による周辺セルの測定を停止する（ステップＳ７０６）。これにより、移動局装置主導による周辺セルの測定も実行されなくなる。また、移動局装置２０に予め測定条件が存在していない場合（ステップＳ７０５で“Ｎｏ”）、測定実行制御部６４５は、測定実行の指示を行わないようにする（ステップＳ７０７）。これにより、特定契約者用基地局装置６０の指示による移動局装置の周辺セルの測定も実行されなくなる。
【００６３】
ステップＳ７０３の処理で、移動局装置２０のユーザがハンドオーバを許容している場合（ステップＳ７０３で“Ｙｅｓ”）、ネットワーク制御部６４４は、ネットワークが移動局装置２０に対して周辺セルの測定の実行を指示する（Measurement: on）制御信号の生成を制御信号生成部６４７へ指示する。そして、ネットワーク制御部６４４は、通信部６５を通じてネットワークへ出力する（ステップＳ７０８）。これによって、ネットワークからの指示による移動局装置２０のハンドオーバが有効になる。また、移動局装置２０に予め測定条件が存在していない場合（ステップＳ７０９で“Ｎｏ”）、測定条件設定部６４６は、制御データ記憶部６４２からハンドオーバ用の測定（Measurement）条件を取得する。そして、測定条件設定部６４６は、制御信号生成部６４７に対し取得した測定条件を含めた制御信号の生成を指示し、無線送信部６３から移動局装置へ送信する（ステップＳ７１０）。これによって、移動局装置２０では、ハンドオーバ用の測定条件が設定され、ハンドオーバを実行可能な状態になる。また、移動局装置２０に予め測定条件が存在している場合（ステップＳ７０９で“Ｙｅｓ”）、特定契約者用基地局装置６０は、特に何もせず、移動局装置２０は、通常のハンドオーバを実行可能な状態でＣＳＧセルと通信する。なお図７のフローチャートは、ハンドオーバシーケンスを実行する前の処理を示している。
【００６４】
また、ステップＳ７０２のハンドオーバ拒否信号や、ステップＳ７０６の測定の停止の指示などの、移動局装置２０と特定契約者用基地局装置６０とでやりとりされる信号は、ＬＴＥの仕様（例えば3GPP TS36.331）に従って、ＲＲＣ（Radio Resource Control：無線リソース制御）メッセージ内の端末能力（UE Capability）として通知しても良い。この通知のシーケンスを図８に示す。図８で移動局装置２０と特定契約者用基地局装置６０（ＣＳＧセル）が通信を確立する際、移動局装置２０は、ＲＲＣ接続要求（RRC Connection Request）を、特定契約者用基地局装置６０へ送信する（ステップＳ２１）。ＲＲＣ接続要求は、移動局装置が基地局装置（または、ネットワーク装置）に対して送信する信号であって、個別チャネルの接続を要求する接続要求信号である。特定契約者用基地局装置６０は、ＲＲＣ接続要求を受信すると、移動局装置２０へＲＲＣ接続確立（RRC Connection Setup）の信号を送信する（ステップＳ２２）。ＲＲＣ接続確立の信号は、移動局装置２０と特定契約者用基地局装置６０との接続に使用するチャネル設定を通知するためのメッセージであり、移動局装置２０がこのメッセージを受信後に同期を確立する。同期が確立されると、基地局装置（または、ネットワーク装置）へ個別チャネルの接続が完了したことを通知する接続設定完了信号であるＲＲＣ接続確立完了（RRC Connection Setup Complete）の信号を送信し（ステップＳ２３）、通信の確立が終了する。
【００６５】
また、上述した測定（Measurement）条件の設定や実行指示は、ＬＴＥの仕様に従って、ネットワークがセル内へ報知するシステム情報（System information）で通知しても良いし、個別シグナリング（3GPP TS25.331、TS36.331で定義されるＲＲＣのMeasurement Controlメッセージが使用される）で移動局装置へ測定（Measurement）の設定をしても良い。いずれの場合も、各測定（Measurement）には、ＩＤ（Measurement ID）が設定されており、このＩＤでネットワークに管理される。
【００６６】
以上、説明したように第３の実施形態では、移動局装置の周辺セルの測定の制御を特定契約者用基地局装置が行うことでハンドオーバを制御する。特定契約者用基地局装置は、第２の実施形態の移動局装置２０からハンドオーバ拒否信号を受信した場合には、移動局装置２０の周辺セルへのハンドオーバを許容しないと判定し、ネットワーク側の動作を制御して、ネットワークから移動局装置に対する周辺セルの測定指示を行わないようにする。また、報知情報などにより移動局装置へ周辺セルの測定が指示されている場合であっても、ハンドオーバを許容しないと判定している場合には、移動局装置へ周辺セルの測定の停止を指示する。また、周辺セルの測定が指示されていない場合には、移動局装置へ周辺セルの測定の実行の指示を送信しないようにする。このようにすることで、移動局装置が周辺セルへハンドオーバしないように制御することができる。よって、第１及び第２の実施形態と同様に、移動局装置がＣＳＧセルへ在圏している場合に、料金の高いＶＰＬＭＮのマクロセルへのハンドオーバを実行しないようにすることができる。また、移動局装置がＣＳＧセルで通信を継続することによって、ＶＰＬＭＮを運営しているネットワーク事業者には、運営しているマクロセルの通信負荷の増大が抑制されるという効果がある。
【００６７】
なお、移動端末装置２０や特定契約者用基地局装置６０の各部の機能を実現するためのプログラムをコンピュータ読み取り可能な記録媒体に記録してもよい。そして、この記録媒体に記録されたプログラムをコンピュータシステムに読み込ませ、実行することにより各部の機能を実現するようにしてもよい。なお、ここでいう「コンピュータシステム」とは、ＯＳや周辺機器等のハードウェアを含む。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００６８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００６９】
本発明に係るハンドオーバ制御方法、移動局装置、基地局装置は、ホームセルとマクロセルとが混在している通信システムなどに適用することが出来る。
【符号の説明】
【００７０】
２０、９０    移動局装置
１０、６０、９１    特定契約者用基地局装置
１１、１２、９２、９３    基地局装置
１００、９１０    ＣＳＧセル
１１０、１２０、９２０、９３０    マクロセル
２１、６１    アンテナ部
２２、６２    無線受信部
２３、６３    無線送信部
２４、６４    制御部
６５    通信部
２４１、６４１    受信レベル測定部
２４２、６４２    制御データ記憶部
２４３、６４３    ハンドオーバ判定部
２４４    セル判定部
２４５    測定実行判定部
２４６    ハンドオーバ拒否信号生成部
６４４    ネットワーク制御部
６４５    測定実行制御部
６４６    測定条件設定部
６４７    制御信号生成部
【図１】
2012105684.tif 000003
【図２】
2012105684.tif 000004
【図３】
2012105684.tif 000005
【図４】
2012105684.tif 000006
【図５】
2012105684.tif 000007
【図６】
2012105684.tif 000008
【図７】
2012105684.tif 000009
【図８】
2012105684.tif 000010
【図９】
2012105684.tif 000011
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
マクロセルとＣＳＧセル間を移動する移動局装置のハンドオーバ制御方法であって、
前記ＣＳＧセルに前記移動局装置が在圏しているか否かについて判定し、
前記ＣＳＧセルに前記移動局装置が在圏していると判定した場合に、前記ＣＳＧセルがＨＰＬＭＮであるか否かについて判定し、
前記ＣＳＧセルがＨＰＬＭＮであると判定した場合であって、前記移動局装置が周辺セルの測定を行うように設定されている場合には、前記周辺セルの測定を実行してハンドオーバを行い、
前記ＣＳＧセルが前記ＨＰＬＭＮではないと判定した場合には、前記移動局装置が前記周辺セルの測定を行うように設定されている場合であっても、前記周辺セルの測定を行わない移動局装置のハンドオーバ制御方法。
【請求項２】
前記周辺セルの測定を行わない処理は、
前記周辺セルの受信レベルを測定する移動局装置の受信レベル測定部を停止させることにより行われる請求項１記載の移動局装置のハンドオーバ制御方法。
【請求項３】
マクロセルとＣＳＧセル間を移動する移動局装置のハンドオーバ制御方法であって、
前記ＣＳＧセルに前記移動局装置が在圏しているか否かについて判定し、
前記ＣＳＧセルに前記移動局装置が在圏していると判定した場合に、前記ＣＳＧセルがＨＰＬＭＮであるか否かについて判定し、
前記ＣＳＧセルが前記ＨＰＬＭＮではないと判定した場合には、前記移動局装置が周辺セルの測定を行うように設定されている場合であっても、前記周辺セルの測定を行わない、かつ、ハンドオーバ拒否信号を送信する移動局装置のハンドオーバ制御方法。
【請求項４】
マクロセルとＣＳＧセルとを有するＰＬＭＮに接続する移動局装置であって、
在圏セルおよび周辺セルを測定する受信レベル測定部と、
前記在圏セルおよび前記周辺セルの測定が設定される制御データ記憶部と、
前記ＣＳＧセルに前記移動局装置が在圏しているか否かについて判定するハンドオーバ判定部と、
在圏していると前記ハンドオーバ判定部が判定した場合には、在圏している前記ＣＳＧセルがＨＰＬＭＮであるか否かについて判定するセル判定部と、
ハンドオーバ拒否信号を生成するハンドオーバ拒否信号生成部とを有し、
在圏しているＣＳＧセルが、ＨＰＬＭＮである場合であって、前記制御データ記憶部に周辺セルの測定を行うように設定されている場合には、前記周辺セルの測定を実行してハンドオーバを行い、
在圏しているＣＳＧセルが、ＨＰＬＭＮでないときには、前記制御データ記憶部に周辺セルの測定を行うように設定されている場合であっても、前記周辺セルの測定を行わない、または、ハンドオーバ拒否信号を生成する移動局装置。
【手続補正２】
【補正対象書類名】明細書
【補正対象項目名】００１６
【補正方法】変更
【補正の内容】
【００１６】
（３）  本発明の第２の態様による移動局装置のハンドオーバ制御方法は、マクロセルとＣＳＧセル間を移動する移動局装置のハンドオーバ制御方法であって、前記ＣＳＧセルに前記移動局装置が在圏しているか否かについて判定し、前記ＣＳＧセルに前記移動局装置が在圏していると判定した場合に、前記ＣＳＧセルがＨＰＬＭＮであるか否かについて判定し、前記ＣＳＧセルが前記ＨＰＬＭＮではないと判定した場合には、前記移動局装置が周辺セルの測定を行うように設定されている場合であっても、前記周辺セルの測定を行わない、かつ、ハンドオーバ拒否信号を送信する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
（４）  本発明の第４の態様による移動局装置は、マクロセルとＣＳＧセルとを有するＰＬＭＮに接続する移動局装置であって、在圏セルおよび周辺セルを測定する受信レベル測定部と、前記在圏セルおよび前記周辺セルの測定が設定される制御データ記憶部と、前記ＣＳＧセルに前記移動局装置が在圏しているか否かについて判定するハンドオーバ判定部と、在圏していると前記ハンドオーバ判定部が判定した場合には、在圏している前記ＣＳＧセルがＨＰＬＭＮであるか否かについて判定するセル判定部と、ハンドオーバ拒否信号を生成するハンドオーバ拒否信号生成部と、を有し、在圏しているＣＳＧセルが、ＨＰＬＭＮである場合であって、前記制御データ記憶部に周辺セルの測定を行うように設定されている場合には、前記周辺セルの測定を実行してハンドオーバを行い、在圏しているＣＳＧセルが、ＨＰＬＭＮでないときには、前記制御データ記憶部に周辺セルの測定を行うように設定されている場合であっても、前記周辺セルの測定を行わない、または、ハンドオーバ拒否信号を生成する。
【手続補正７】
【補正対象書類名】明細書
【補正対象項目名】００２１
【補正方法】削除
【補正の内容】
【国際調査報告】
2012105684.tif 000012
2012105684.tif 000013
2012105684.tif 000014
2012105684.tif 000015
2012105684.tif 000016
2012105684.tif 000017